(57)【要約】 【課題】  複数の制御ＩＣを使用する情報管理において、制御ＩＣを識別するための技術を提供する。【解決手段】  本発明は情報管理装置である。本情報管理装置は、識別情報を入力するための識別情報入力端子を備え、共通のバスに接続された複数の第１の制御部と、複数の第１の制御部の各々に接続された不揮発性メモリと、複数の第１の制御部のうちの少なくとも一部の第１の制御部の識別情報入力端子に、識別情報を供給する識別情報供給回路と、供給された識別情報に基づいて複数の第１の制御部を識別するとともに、識別された第１の制御部に接続された不揮発性メモリに対してデータの読み書きを実行する第２の制御部とを備える。第２の制御部は、予め定められた所定の電位を出力する少なくとも１つの出力端子を有する。識別情報供給回路は、出力端子と識別情報入力端子との間を接続する回路であることを特徴とする。【選択図】  図２
2005234938.tif 000002
【特許請求の範囲】
【請求項１】
情報管理装置であって、
識別情報を入力するための識別情報入力端子を備え、共通のバスに接続された複数の第１の制御部と、
前記複数の第１の制御部の各々に接続された不揮発性メモリと、
前記複数の第１の制御部のうちの少なくとも一部の第１の制御部の前記識別情報入力端子に、前記識別情報を供給する識別情報供給回路と、
前記供給された識別情報に基づいて前記複数の第１の制御部を識別するとともに、前記識別された第１の制御部を介して、前記識別された第１の制御部に接続された不揮発性メモリに対してデータの読み書きを実行する第２の制御部と、
を備え、
前記第２の制御部は、予め定められた所定の電位を出力する少なくとも１つの出力端子を有し、
前記識別情報供給回路は、前記出力端子と前記識別情報入力端子との間を接続する回路であることを特徴とする、情報管理装置。
【請求項２】
消耗品を用いて印刷を行う印刷装置であって、
請求項１記載の情報管理装置と、
前記消耗品を格納する複数の消耗品容器と、
前記消耗品を用いて印刷媒体上に印刷を行う印刷部と、
を備え、
前記不揮発性メモリは、前記複数の消耗品容器いずれかに装着されており、
前記読み書きされるデータは、前記複数の消耗品容器の各々に格納されている消耗品に関する情報である、印刷装置。
【請求項３】
請求項２記載の印刷装置であって、
前記消耗品は、印刷媒体上に吐出するためのインクである、印刷装置。
【発明の詳細な説明】
【技術分野】
【０００１】
本発明は、メモリの読み出しと書き込みの制御に関する。
【背景技術】
【０００２】
インクジェットプリンタの消耗品であるインクカートリッジに対して、消耗品の残存量その他の属性情報を格納する不揮発性メモリを装備することが行われている。不揮発性メモリに格納される情報には、たとえば消耗品の残存量のようにインクジェットプリンタによって書き込まれるものもある。
【０００３】
このようなデータは、不揮発性メモリの数が多い場合には複数の制御ＩＣを用いて読み書きを行うように構成される場合がある。このような構成では、複数の制御ＩＣを識別して個別に制御することが要求される。このような制御には、たとえば特許文献１に開示されているようにディスクリートラインを用いて制御ＩＣを選択する方法がある。
【０００４】
【特許文献１】特許公開２００２−１４４６０３号公報
【特許文献２】特許公開平１１−１９５７６６号公報
【０００５】
しかし、ディスクリートラインを用いる方法には、装置の構成が複雑となるという問題があった。一方、複数の制御ＩＣを共通のバスに接続するためには、各制御ＩＣに識別用の情報や構造を与える必要があるため、制御ＩＣの共通化の障害となっていた。
【発明の開示】
【発明が解決しようとする課題】
【０００６】
この発明は、従来技術における上述の課題を解決するためになされたものであり、複数の制御ＩＣを使用する情報管理において、制御ＩＣを識別するための技術を提供することを目的とする。
【課題を解決するための手段】
【０００７】
本発明は、情報管理装置であって、
識別情報を入力するための識別情報入力端子を備え、共通のバスに接続された複数の第１の制御部と、
前記複数の第１の制御部の各々に接続された不揮発性メモリと、
前記複数の第１の制御部のうちの少なくとも一部の第１の制御部の前記識別情報入力端子に、前記識別情報を供給する識別情報供給回路と、
前記供給された識別情報に基づいて前記複数の第１の制御部を識別するとともに、前記識別された第１の制御部を介して、前記識別された第１の制御部に接続された不揮発性メモリに対してデータの読み書きを実行する第２の制御部と、
を備え、
前記第２の制御部は、予め定められた所定の電位を出力する少なくとも１つの出力端子を有し、
前記識別情報供給回路は、前記出力端子と前記識別情報入力端子との間を接続する回路であることを特徴とする。
【０００８】
本発明の情報管理装置では、各制御部に供給された識別情報に基づいて複数の制御部を識別するとともに、識別された制御部を使用して各制御部に接続された不揮発性メモリに対してデータの読み書きが実行されるので、複数の制御部に識別用の情報や構造を与える必要がなくなる。これにより、複数の制御部の部品の共通化を図ることができる。
【０００９】
なお、複数の第１の制御部は、物理的に近い位置に配置されていても良いし、物理的に離れた場所に配置しても良い。複数の不揮発性メモリが物理的に離れた場所に配置される場合には、物理的に離れた複数の制御部を使用する必要性が高まるため、本発明が大きな利点を有することになる。一方、物理的に近い位置に配置される場合にも、制御部の数を増やすことによって１つの制御部のピン数を減らすことができるため、実装において設計自由度を増大させることができるという利点がある。
【００１０】
本発明の印刷装置は、消耗品を用いて印刷を行う印刷装置であって、
上記情報管理装置と、
前記消耗品を格納する複数の消耗品容器と、
前記消耗品を用いて印刷媒体上に印刷を行う印刷部と、
を備え、
前記不揮発性メモリは、前記複数の消耗品容器いずれかに装着されており、
前記読み書きされるデータは、前記複数の消耗品容器の各々に格納されている消耗品に関する情報であることを特徴とする。
【００１１】
上記印刷装置において、前記消耗品は、印刷媒体上に吐出するためのインクであっても良い。
【００１２】
なお、本発明は、記憶装置や通信装置、それらの方法または装置の機能をコンピュータに実現させるためのコンピュータプログラム、そのコンピュータプログラムを記録した記録媒体、そのコンピュータプログラムを含み搬送波内に具現化されたデータ信号、記憶装置を備える消耗品容器等の種々の形態で実現することができる。
【発明を実施するための最良の形態】
【００１３】
次に、本発明の実施の形態を実施例に基づき以下の順序で説明する。
Ａ．印刷装置の全体構成：
Ｂ．印刷装置が行う処理の内容：
【００１４】
Ａ．印刷装置の全体構成：
図１は、本発明の印刷装置の全体構成を示すブロック図である。図１に示すように、印刷装置は、制御回路４０と、紙送りモータ２３と、主走査を行うキャリッジモータ２４と、印刷ヘッド（図示せず）を搭載するキャリッジ３０と、を備えている。印刷装置は、印刷装置の外部の装置であるコンピュータ９０に接続されている。
【００１５】
コンピュータ９０では、所定のオペレーティングシステムの下で、アプリケーションプログラムが動作している。オペレーティングシステムには、ビデオドライバやプリンタドライバが組み込まれており、ディスプレイに画像を表示したり、種々の画像処理が行われる。
【００１６】
制御回路４０は、コンピュータ９０からの印刷信号等を受け取るインタフェース４１と、各種データの記憶を行うＲＡＭ４２と、各種データ処理のためのルーチン等を記憶したＲＯＭ４３と、発振回路４４と、原駆動信号発生部２０６と、紙送りモータ２３やキャリッジモータ２４やキャリッジ３０にインク残量を表す信号や印刷信号、駆動信号といった信号を送るためのインタフェース４７と、を備えている。駆動信号は、図示しないインク吐出素子を駆動するための信号である。
【００１７】
ＲＡＭ４２は、受信バッファ４２Ａや中間バッファ４２Ｂあるいは出力バッファ４２Ｃとして利用される。コンピュータ９０からの印刷データＰＤは、インタフェース４１を介して受信バッファ４２Ａに蓄えられる。このデータは、中間コードに変換されて中間バッファ４２Ｂに蓄えられた後、出力バッファに送られる。なお、コンピュータ９０から与えられる印刷データＰＤには、各画素毎に各インクの階調値を表す階調データが含まれている。
【００１８】
制御回路４０は、出力バッファ４２Ｃは、インタフェース４７とＦＦＣ（ＦＬＥＸＩＢＬＥ  ＦＬＡＴ  ＣＡＢＬＥ）と呼ばれるケーブルを介して、キャリッジ３０に接続されている。このケーブルＦＦＣは、キャリッジ３０と制御回路４０との間を接続するとともに、キャリッジ３０の動きに追従できるように変形可能となっている。
【００１９】
ケーブルＦＦＣは、キャリッジ３０に搭載された図示しないインクカートリッジが備える記憶装置（後述する）に対して、インク残量その他のデータの読み書きができるように複数の配線を備えている。この複数の配線には、入力信号線ＲＤＬ、出力信号線ＴＤＬと、リセット信号線ＲＳＬと、電力供給線ＶＤＬと、接地線ＶＳＬと、が含まれている。なお、本実施例では、印刷信号や駆動信号といったデータの読み書きに関係のない信号を送信するための配線の図示は省略されている。
【００２０】
図２は、制御回路４０に接続されたキャリッジ３０の内部構成を示すブロック図である。キャリッジ３０は、２つの制御ＩＣ２１０、２２０と、６つの記憶装置２１１、２１２、２１３、２２１、２２２、２２３とを備えている。２つの制御ＩＣ２１０、２２０は、それぞれメモリ２１０Ｒとメモリ２２０Ｒとを備えている。２つの制御ＩＣ２１０、２２０は、同一の部品である。６つの記憶装置２１１、２１２、２１３、２２１、２２２、２２３は、それぞれ６色のインクを収容する６つのインクカートリッジ（図示せず）に備えられている。
【００２１】
制御回路４０は５個の端子を備えている。これら５個の端子には、
（１）２つの制御ＩＣ２１０、２２０への入力信号ＲｘＤを出力するための出力信号端子ＲＤＴＨと、
（２）２つの制御ＩＣ２１０、２２０からの出力信号ＴｘＤを入力するための入力信号端子ＴＤＴＨと、
（３）２つの制御ＩＣ２１０、２２０にリセット信号ＲＳＴを出力するためのリセット信号出力端子ＲＳＴＨと、
（４）２つの制御ＩＣ２１０、２２０に電力を供給するための電力供給端子ＶＤＴＨと、
（５）２つの制御ＩＣ２１０、２２０を接地するための接地用端子ＶＳＴＨと、
が含まれている。
【００２２】
２つの制御ＩＣ２１０、２２０は７個の端子を備えている。これら７個の端子には、（１）制御回路４０からの入力信号ＲｘＤを入力するための入力信号端子ＲＤＴＭと、
（２）制御回路４０への出力信号ＴｘＤを出力するための出力信号端子ＴＤＴＭと、
（３）制御回路４０からリセット信号ＲＳＴを入力するためのリセット信号入力端子ＲＳＴＭと、
（４）制御回路４０から電力供給を受けるための電力入力端子ＶＤＴＭと、
（５）制御回路４０に接地するための接地用端子ＶＳＴＭと、
の５個の端子が含まれている。
【００２３】
２つの制御ＩＣ２１０、２２０は、さらに識別信号を入力するための２つの識別入力端子ＡＤ１、ＡＤ２を備えている。識別入力端子ＡＤ１、ＡＤ２は、たとえば制御ＩＣ２１０、２２０に備えられたチップイネーブル用の端子を利用することができる。
【００２４】
２つの制御ＩＣ２１０、２２０は、制御回路４０に対して以下のように接続されている。制御ＩＣ２１０の入力信号端子ＲＤＴＭは、制御回路４０の出力信号端子ＲＤＴＨに入力信号線ＲＤＬで接続されており、また、制御ＩＣ２１０の出力信号端子ＴＤＴＭ、リセット信号入力端子ＲＳＴＭ、電力入力端子ＶＤＴＭ、および接地用端子ＶＳＴＭは、制御回路４０の入力信号端子ＴＤＴＨ、リセット信号出力端子ＲＳＴＨ、電力供給端子ＶＤＴＨ、および接地用端子ＶＳＴＨ、にそれぞれ出力信号線ＴＤＬ、リセット信号線ＲＳＬ、電力供給線ＶＤＬ、および接地線ＶＳＬで接続されている。
【００２５】
２つの制御ＩＣ２１０、２２０の各々が備える２つの識別入力端子ＡＤ１、ＡＤ２は、制御回路４０に対して以下のように接続されている。制御ＩＣ２１０の２つの識別入力端子ＡＤ１、ＡＤ２は、制御回路４０の接地用端子ＶＳＴＨに接続された接地線ＶＳＬに対して、それぞれ識別信号供給線ＡＤＬ１、ＡＤＬ２で接続されている。
【００２６】
一方、制御ＩＣ２２０については、識別入力端子ＡＤ１が制御回路４０の電力供給端子ＶＤＴＨに接続された電力供給線ＶＤＬに対して識別信号供給線ＡＤＬ３で接続されているとともに、識別入力端子ＡＤ２が制御回路４０の接地用端子ＶＳＴＨに接続された接地線ＶＳＬに対して識別信号供給線ＡＤＬ４で接続されている。
【００２７】
このように、キャリッジ３０は、同一の部品である２つの制御ＩＣ２１０、２２０が挿入されるソケット（図示せず）に応じて、異なる識別信号（電位）を受け取ることができるように構成されている。
【００２８】
なお、２つの制御ＩＣ２１０、２２０と６個の記憶装置２１１、２１２、２１３、２２１、２２２、２２３との間は、制御回路４０と２つの制御ＩＣ２１０、２２０との間の接続と同様の構成を用いて接続されている。
【００２９】
なお、制御回路４０は、特許請求の範囲における「第２の制御部」に相当し、２つの制御ＩＣ２１０、２２０の各々は、特許請求の範囲における「第１の制御部」に相当する。また、識別信号供給線ＡＤＬ１、ＡＤＬ２、ＡＤＬ３、ＡＤＬ４は、特許請求の範囲における「識別情報供給回路」に相当する。
【００３０】
Ｂ．印刷装置が行う処理の内容：
図３は、本発明の実施例において印刷装置が行うアドレス設定処理の内容を示すフローチャートである。アドレス設定処理は、印刷装置の電源が「ＯＮ」にされることによって自動的に開始される（ステップＳ１０）。
【００３１】
ステップＳ２０では、２つの制御ＩＣ２１０、２２０は、２つの識別入力端子ＡＤ１、ＡＤ２を介して識別信号を受信する。具体的には、制御ＩＣ２１０については、前述の接続状態（図２）に基づいて２つの識別入力端子ＡＤ１、ＡＤ２が「低電位状態」となる。一方、制御ＩＣ２２０については、識別入力端子ＡＤ１が「高電位状態」となるとともに、識別入力端子ＡＤ２が「低電位状態」となる。
【００３２】
ステップＳ３０では、２つの制御ＩＣ２１０、２２０は、２つの識別入力端子ＡＤ１、ＡＤ２の電位状態に応じて２値データを生成する。２値データの生成は、たとえば「高電位状態」を「１」に対応させるとともに、「低電位状態」を「０」に対応させることによって可能である。さらに、本実施例では、識別入力端子ＡＤ１の電位状態を上位ビットに対応させるとともに、識別入力端子ＡＤ２の電位状態を下位ビットに対応させるように構成されている。
【００３３】
この結果、制御ＩＣ２１０では、「００」の２値データが生成される。一方、制御ＩＣ２１０では、「１０」の２値データが生成されることになる。このようにして生成されたデータは、それぞれメモリ２１０Ｒと、２２０Ｒとに格納される。この格納された２値データによって、制御回路４０は、後述するように２つの制御ＩＣ２１０、２２０を識別することができるようになる。
【００３４】
図４は、本発明の実施例において印刷装置が行うデータの読み書き処理の内容を示すフローチャートである。読み書き処理は、制御回路４０が２つの制御ＩＣ２１０、２２０を介して、６個の記憶装置２１１、２１２、２１３、２２１、２２２、２２３に対して行う処理である。
【００３５】
データの読み書きに関する処理としては、たとえば以下のような処理がある。
（１）制御回路４０（図２）は、電源の「ＯＮ」に応じて記憶装置２１１から、記憶装置２１１が装着される図示しないインクカートリッジのインク残量を読み出し、印刷が可能であるか否かを確認する。
（２）制御回路４０は、印刷に使用されたインクに応じてインク残量を更新するとともに、所定のタイミングで記憶装置２１１に書き込む。
【００３６】
ステップＳ１００では、制御回路４０は、２つの制御ＩＣ２１０、２２０をリセットする。リセットは、制御回路４０が２つの制御ＩＣ２１０、２２０にリセット信号線ＲＳＬでリセット信号ＲＳＴを送信することによって行われる。リセットされた２つの制御ＩＣ２１０、２２０は、そのカウンタ（図示せず）のカウンタ値を初期値に戻すとともに、カウントを開始させる。カウントは、２つの制御ＩＣ２１０、２２０が内蔵する図示しないクロックによって行われる。これにより、各記憶装置２１１、２１２、２１３、２２１、２２２、２２３は、制御回路４０からのコマンドやデータの受信と、その処理が可能な状態となる。
【００３７】
ステップＳ２００では、２つの制御ＩＣ２１０、２２０は、制御回路４０からの信号の受信を開始する。信号の受信は、入力信号線ＲＤＬ（図２）を介して入力信号端子ＲＤＴＭから行われる。２つの制御ＩＣ２１０、２２０は、各カウント値に基づいて入力された信号の解析を行う。
【００３８】
図５は、制御回路４０が出力信号端子ＲＤＴＨから出力する信号のデータフィールドの一例を示す説明図である。図５（ａ）は、データフィールドの全体を示している。図５（ｂ）は、データフィールドのうちアドレス領域のみを示している。
【００３９】
このデータフィールドは、１ビットのコマンド領域と、４ビットのアドレス領域と、２５１ビットのデータ領域とを有している。コマンド領域には、「読み出し命令」か「書き込み命令」のいずれかのコマンドが含まれる。アドレス領域には、制御ＩＣ選択用の上位アドレス（２ビット）と、記憶装置選択用の下位アドレス（２ビット）とが含まれている。
【００４０】
図６は、制御ＩＣと記憶装置のアドレスを示す説明図である。図６（ａ）は、制御ＩＣのアドレスを２進コードで示している。図６（ｂ）は、制御ＩＣを起点とする記憶装置の相対アドレスを２進コードで示している。図６（ｃ）は、記憶装置の絶対アドレスを示している。図６から分かるように、記憶装置の絶対アドレスは、制御ＩＣのアドレスと記憶装置の相対アドレスとを組み合わせることによって生成されている。本印刷装置では、このように６個の記憶装置２１１、２１２、２１３、２２１、２２２、２２３が１つのアドレス空間で指定できるように構成されている。
【００４１】
ステップＳ３００（図４）では、２つの制御ＩＣ２１０、２２０のうちの一方が選択される。具体的には、上位ビットが「００」の場合には、制御ＩＣ２１０が選択され、上位ビットが「０１」の場合には、制御ＩＣ２２０が選択されることになる。ここでは、制御ＩＣ２１０が選択されたものとする。選択された制御ＩＣ２１０については、ステップＳ４００に処理が進められ、選択されなかった制御ＩＣ２２０については、処理が終了する。
【００４２】
ステップＳ４００では、制御ＩＣ２１０は、下位アドレスに基づいて３個の記憶装置２１１、２１２、２１３の中から１つを選択して書き込み処理を実行する。なお、読み込み処理についても同様のアドレス指定によって各記憶装置毎に実行することができる。
【００４３】
このように、簡易な配線によって２つの制御ＩＣ２１０、２２０の各々に供給された識別情報に基づいて制御部ＩＣを識別することができるので、２つの制御ＩＣ２１０、２２０の各々に識別用の情報や構造を与える必要がなくなる。これにより、複数の制御ＩＣの部品の共通化を簡易に実現することができる。
【００４４】
Ｃ．変形例：
なお、この発明は上記の実施例や実施形態に限られるものではなく、その要旨を逸脱しない範囲において種々の態様において実施することが可能であり、たとえば次のような変形も可能である。
【００４５】
Ｃ−１．上述の実施例では、２つの制御ＩＣ２１０、２２０の全てに識別情報が供給されているが、たとえば２つの制御ＩＣ２１０、２２０にデフォルトの上位アドレスを予め入力しておくとともに、一方にデフォルトの上位アドレスと異なるアドレスを与えるように構成しても良い。具体的には、デフォルトの上位アドレスを「００」としておいて、制御ＩＣ２２０にのみ「０１」の上位アドレスを与えるようにしても制御ＩＣの識別が可能となる。
【００４６】
さらに、一部の制御ＩＣについてのみ識別が必要となる場合もあるので、本発明で使用する識別情報供給回路は、一般に、複数の制御部のうちの少なくとも一部の制御部に識別情報を供給するように構成されていれば良い。
【００４７】
Ｃ−２．上述の実施例では、制御回路４０が２つの制御ＩＣ２１０、２２０に電力を供給しているが、制御回路４０の外部の電力供給装置から電力を供給するように構成しても良い。ただし、この場合には、制御回路４０および電力供給装置が特許請求の範囲における「第２の制御部」に相当することになる。
【００４８】
Ｃ−３．上述の実施例では、２つの制御ＩＣ２１０、２２０の各々は、２つの識別入力端子ＡＤ１、ＡＤ２を備えているが、たとえば１つでも良く、２つ以上でも良い。
【００４９】
Ｃ−４．上述の実施例では、２つの制御ＩＣ２１０、２２０の各々は、１つのアドレスを有しているが、たとえば非常用の特殊アドレスを別個に共通して有するように構成しても良い。こうすれば、非常用の特殊アドレス（たとえば上記構成で不使用の「１１」）を使用して複数の制御ＩＣを同時に作動させることもできるという利点がある。
【００５０】
Ｃ−５．上述の実施例では、２つの制御ＩＣ２１０、２２０の各々は、物理的に近い位置（キャリッジ３０上）に配置されているが、たとえば物理的に離れた場所に配置することも可能である。このように複数のインクカートリッジが物理的に離れた場所に配置される場合には、物理的に離れた複数の制御ＩＣを使用する必要性が高まるため、本発明が大きな利点を有することになる。ただし、物理的に近い位置に配置される場合にも、制御ＩＣの数を増やすことによって１つの制御ＩＣのピン数を減らすことができるため、実装において設計自由度を増大させることができるという利点がある。
【００５１】
本発明の機能の一部または全部がソフトウェアで実現される場合には、そのソフトウェア（コンピュータプログラム）は、コンピュータ読み取り可能な記録媒体に格納された形で提供することができる。この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【００５２】
【図１】本発明の印刷装置の全体構成を示すブロック図。
【図２】制御回路４０に接続されたキャリッジ３０の内部構成を示すブロック図。
【図３】本発明の実施例において印刷装置が行うアドレス設定処理の内容を示すフローチャート。
【図４】本発明の実施例において印刷装置が行うデータの読み書き処理の内容を示すフローチャート。
【図５】制御回路４０が出力信号端子ＲＤＴＨから出力する信号のデータフィールドの一例を示す説明図。
【図６】制御ＩＣと記憶装置のアドレスを示す説明図。
【符号の説明】
【００５３】
２３…紙送りモータ
２４…キャリッジモータ
３０…キャリッジ
４０…制御回路
４１…インタフェース
４２…ＲＡＭ
４３…ＲＯＭ
４４…発振回路
４７…インタフェース
９０…コンピュータ
２０１…メモリアレイ
２０６…原駆動信号発生部
２１０Ｒ、２２０Ｒ…メモリ
２１１、２１２、２１３、２２１、２２２、２２３…記憶装置
ＡＤ１、ＡＤ２…識別入力端子
ＦＦＣ…ケーブル
２１０、２２０…制御ＩＣ
ＰＤ…印刷データ
ＲＤＬ…入力信号線
ＲＤＴＨ…出力信号端子
ＲＤＴＭ…入力信号端子
ＲＳＬ…リセット信号線
ＲＳＴ…リセット信号
ＲＳＴＨ…リセット信号出力端子
ＲＳＴＭ…リセット信号入力端子
ＲｘＤ…入力信号
ＴＤＬ…出力信号線
ＴＤＴＨ…入力信号端子
ＴＤＴＭ…出力信号端子
ＴｘＤ…出力信号
ＶＤＬ…電力供給線
ＶＤＴＨ…電力供給端子
ＶＤＴＭ…電力入力端子
ＶＳＬ…接地線
ＶＳＴＨ、ＶＳＴＭ…接地用端子
ＡＤＬ１〜ＡＤＬ４…識別信号供給線
【図１】
2005234938.tif 000003
【図２】
2005234938.tif 000004
【図３】
2005234938.tif 000005
【図４】
2005234938.tif 000006
【図５】
2005234938.tif 000007
【図６】
2005234938.tif 000008